(57)【特許請求の範囲】
【請求項１】
ネットワークを介して相互にパケットを送受するノードの固体識別子及びネットワークの位置を示す位置識別子から成るエントリが格納されているアドレス変換メモリを有する管理用ホームルータと、前記アドレス変換メモリのエントリを追加若しくは更新すべく移動に伴って自己の固体識別子及び移動したネットワークの位置を示す位置識別子を含む制御パケットを該移動したネットワークに出力する移動ノードと、該移動ノードの位置から前記管理用ホームルータまでの経路ネットワーク上に位置し、受信した前記制御パケットの前記固体識別子及び位置識別子を自己のアドレス変換メモリ上で前記移動ノードのエントリとして追加若しくは更新すると共に前記制御パケットから再生成した再生成パケットを前記管理用ホームルータに向けて出力する少なくとも一以上の経路ルータと、該経路ルータに配信先として指定されて前記経路ネットワーク上に位置しない少なくとも一以上の非経路ルータとを備える移動体通信ネットワークシステムにおいて、
前記経路ルータは、前記再生成パケットを前記非経路ルータへ送信する送信制御部を有し、
前記非経路ルータは、受信した前記再生成パケットの固体識別子及び位置識別子を自己のアドレス変換メモリ上で前記移動ノードのエントリとして追加若しくは更新する変換制御部を有する、
ことを特徴とする移動体通信ネットワークシステム。
【請求項２】
前記非経路ルータは、配信先として指定する少なくとも一以上の他のルータに前記再生成パケットを送信する送信制御部を有し、
前記他のルータは、受信した再生成パケットから抽出した固体識別子及び位置識別子を自己のアドレス変換メモリ上で前記移動ノードのエントリとして追加若しくは更新する変換制御部を有する、
ことを特徴とする請求項１記載の移動体通信ネットワークシステム。
【請求項３】
移動ノードから自己の固体識別子及び移動したネットワークの位置を示す位置識別子をエントリとして含む制御パケットを前記移動したネットワークに出力させ、
前記移動ノードの位置から管理用ホームルータまでの経路ネットワーク上に位置する少なくとも一以上の経路ルータにより前記制御パケットを受信させて該経路ルータにより前記制御パケットの前記固体識別子及び位置識別子を自己のアドレス変換メモリ上で前記移動ノードのエントリとして追加若しくは更新させ、かつ該経路ルータにより前記制御パケットから再生成した再生成パケットを前記管理用ホームルータに向けて出力させ、
前記管理用ホームルータにより受信した前記再生成パケットの固体識別子及び位置識別子を自己のアドレス変換メモリ上で前記移動ノードのエントリとして追加若しくは更新させる、移動ノードの管理方法において、
前記経路ルータから配信先として指定されている少なくとも一以上の非経路ルータに対し前記再生成パケットを出力し、
該非経路ルータにより受信した前記再生成パケットの固体識別子及び位置識別子を自己のアドレス変換メモリ上で前記移動ノードのエントリとして追加若しくは更新させる、
ことを特徴とする移動ノードの管理方法。
【請求項４】
前記非経路ルータから配信先として指定されている少なくとも一以上の他のルータに対し前記再生成パケットを出力し、
該他のルータにより受信した前記再生成パケットの固体識別子及び位置識別子を自己のアドレス変換メモリ上で前記移動ノードのエントリとして追加若しくは更新させる、
ことを特徴とする請求項３記載の移動ノードの管理方法。
【発明の詳細な説明】
【０００１】
【発明の属する技術分野】
本発明は、移動体通信ネットワークにおいて、ルータ（中継装置）に備えるデータ伝送装置及びネットワーク内でのデータ伝送方法に関する。
【０００２】
【従来の技術】
近年コンピュータの小型化が進み、広域ネットワーク内をコンピュータや端末（以下移動ノードと記す）が自由に移動できるようになりつつある。
この場合に要求される重要なことは、移動ノードが、移動した位置にかかわらず同一の計算機環境を得ることである。この問題を解決するために、種々の技術開発が成されている。例えば「ＶＩＰ：ホスト移動透過性を提供するプロトコル、日本ソフトウェア科学会コンピュータソフトウェア、Ｖｏｌ．１０、４．寺岡文男」等に開示されている。
【０００３】
この開示された技術では、移動ノードを特定する固体識別子と、ネットワーク内での移動ノードの位置を表す位置識別子が用いられる。ネットワーク内に配置されている複数個のルータ（中継装置）は、これらの識別子によって構成されるエントリ（ここでは移動ノードの特定と位置を表す項目）を格納するアドレス変換表を所持する。複数個のルータ（中継装置）の一つがホームルータとして選択される。ホームルータは、ネットワーク内の移動ノードを一括管理する。
【０００４】
移動ノードは、移動直後に自己のエントリを格納又は更新するためにホームルータにあてて固体識別子と位置識別子を書き込んだ制御パケットを送出する。この制御パケットは、ホームルータに至る経路上にある複数個のルータ（中継装置）を経由してホームルータへ転送される。この複数個のルータ（中継装置）は、制御パケットを受け入れたとき、自己が所持するアドレス変換表に移動ノードのエントリを追加又は更新する。
【０００５】
【発明が解決しようとする課題】
ところで、上記のような従来の技術には、以下に記す解決されるべき課題が残されていた。
上記のように移動ノードの移動先を認識しているルータ（中継装置）は、制御パケットが通過した経路上にあるルータ（中継装置）のみである。
【０００６】
従って、ある別のノードが、移動先を認識していない他のルータ（中継装置）を経由して上記移動ノードと交信する際は、最初にホームルータを経由する必要があった。その結果ネットワークの規模によっては、大きな通信遅延を招き、その間に大量のパケット損失を招く要因になっていた。特に、上記移動ノードが高速で移動する場合や、頻繁に移動する場合等に顕著であった。
【０００７】
【課題を解決するための手段】
本発明は、以上の点を解決するために、次の構成を採用する。
〈構成１〉
ネットワークを介して相互にパケットを送受するノードの固体識別子及びネットワークの位置を示す位置識別子から成るエントリが格納されているアドレス変換メモリを有する管理用ホームルータと、上記アドレス変換メモリのエントリを追加若しくは更新すべく移動に伴って自己の固体識別子及び移動したネットワークの位置を示す位置識別子を含む制御パケットを該移動したネットワークに出力する移動ノードと、該移動ノードの位置から上記管理用ホームルータまでの経路ネットワーク上に位置し、受信した上記制御パケットの上記固体識別子及び位置識別子を自己のアドレス変換メモリ上で上記移動ノードのエントリとして追加若しくは更新すると共に上記制御パケットから再生成した再生成パケットを上記管理用ホームルータに向けて出力する少なくとも一以上の経路ルータと、該経路ルータに配信先として指定されて上記経路ネットワーク上に位置しない少なくとも一以上の非経路ルータとを備える移動体通信ネットワークシステムにおいて、上記経路ルータは、上記再生成パケットを上記非経路ルータへ送信する送信制御部を有し、上記非経路ルータは、受信した上記再生成パケットの固体識別子及び位置識別子を自己のアドレス変換メモリ上で上記移動ノードのエントリとして追加若しくは更新する変換制御部を有する、ことを特徴とする移動体通信ネットワークシステム。
【０００８】
〈構成２〉
構成１に記載された移動体通信ネットワークシステムにおいて、上記非経路ルータは、配信先として指定する少なくとも一以上の他のルータに上記再生成パケットを送信する送信制御部を有し、上記他のルータは、受信した再生成パケットから抽出した固体識別子及び位置識別子を自己のアドレス変換メモリ上で上記移動ノードのエントリとして追加若しくは更新する変換制御部を有する、ことを特徴とする。
【００１０】
〈構成３〉
移動ノードから自己の固体識別子及び移動したネットワークの位置を示す位置識別子をエントリとして含む制御パケットを上記移動したネットワークに出力させ、上記移動ノードの位置から管理用ホームルータまでの経路ネットワーク上に位置する少なくとも一以上の経路ルータにより上記制御パケットを受信させて該経路ルータにより上記制御パケットの上記固体識別子及び位置識別子を自己のアドレス変換メモリ上で上記移動ノードのエントリとして追加若しくは更新させ、かつ該経路ルータにより上記制御パケットから再生成した再生成パケットを上記管理用ホームルータに向けて出力させ、上記管理用ホームルータにより受信した上記再生成パケットの固体識別子及び位置識別子を自己のアドレス変換メモリ上で上記移動ノードのエントリとして追加若しくは更新させる、移動ノードの管理方法において、上記経路ルータから配信先として指定されている少なくとも一以上の非経路ルータに対し上記再生成パケットを出力し、該非経路ルータにより受信した上記再生成パケットの固体識別子及び位置識別子を自己のアドレス変換メモリ上で上記移動ノードのエントリとして追加若しくは更新させる、ことを特徴とする移動ノードの管理方法。
【００１１】
〈構成４〉
構成３に記載された移動ノードの管理方法において、上記非経路ルータから配信先として指定されている少なくとも一以上の他のルータに対し上記再生成パケットを出力し、該他のルータにより受信した上記再生成パケットの固体識別子及び位置識別子を自己のアドレス変換メモリ上で上記移動ノードのエントリとして追加若しくは更新させる、ことを特徴とする。
【００１３】
【発明の実施の形態】
本発明では、移動ノードが移動直後にホームルータにあてて制御パケットを送出する。ホームルータへの経路上にあるルータが、それぞれ隣接する他のルータに向けて制御パケットのコピー（以後再生成パケットと記す）を転送する。この再生成パケットを受け入れた上記隣接する他のルータは、更に自己に隣接する他のルータに向けて再生成パケットを転送する。この動作を所定の回数繰り返す。
従って、移動ノードの移動先を認識しているルータの数量が短時間の内に爆発的に増加する。
【００１４】
その結果、あるノードが上記経路上以外のルータを経由して移動ノードと交信する際、最初にホームルータを経由する確率が少なくなり、パケットの損失や通信遅延が、低減される。以上の目的を達成するために、ルータは、本発明によるデータ伝送装置を備える。本発明によるデータ伝送装置は、ＯＳＩ参照モデルのネットワーク層に制御パケット配信表を備える。この制御パケット配信表には、再生成パケットが転送される送信先のエントリ（項目）が格納されている。
【００１５】
〈具体例の構成〉
以下、本発明を図示の実施の形態について詳細に説明する。
図１は、本発明によるデータ伝送装置の構成図である。
図１より、本発明によるデータ伝送装置は、経路表１とアドレス変換表２と制御パケット配信表３と制御部５を備える。
経路表１は、受け入れたパケットのアドレス情報に基づいて、パケットの送信経路を表示するメモリである。即ち、パケットの進むべき方向を指示する経路標識に相当する。
【００１６】
アドレス変換表２は、移動ノードの移動後の位置をリストアップ（表示）したメモリである。その一例について図を用いて説明する。
図２は、アドレス変換表の説明図である。
図２に示すように、アドレス変換表は、移動ノードの固体識別子と移動ノードの位置識別子からなるエントリ（項目）を格納する。
【００１７】
ここで固体識別子とは、移動ノードを特定するために用いられる識別子であり、位置識別子とは、個々のノードが所属するネットワーク上での位置を表す識別子である。通常ＩＰ（インタネット・プロトコル）のアドレス体系にしたがって８ビットからなるフィールド４個で構成される。各フィールドを１０進数で表記しフィールド間をピリオドで区切る。例えば１３３．１４９．１０．５０のように表される。
【００１８】
再度図１に戻って本発明によるデータ伝送装置の構成についての説明を続ける。制御パケット配信表３は、ルータが制御パケットを受け入れた時にそのパケットの送信先を読み取って、その送信経路外に位置するルータ宛てに再生成パケットを送信するために参照するリストである。この再生成パケットは上記制御パケットをコピーすることによって得られる。
制御パケット配信表３の一例について図を用いて説明する。
【００１９】
図３は、制御パケット配信表の説明図である。
図３に示すように、再生成パケットが転送される配信先のルータのエントリ（項目）がリストアップされている。この配信先は、ネットワーク環境に合わせて予め定められている。
次に制御パケット及び再生成パケットについて図を用いて説明する。
【００２０】
図４は、制御パケット及び再生成パケットの説明図である。
（ａ）は、制御パケットを（ｂ）は、再生成パケットを、それぞれ表している。
本発明の開示に必要な部分のみについて説明し、本発明の開示に直接必要の無い部分については説明を割愛する。
図４に示すように、送信元の位置識別子、送信先の位置識別子、ターゲットノードの固体識別子、ターゲットノードの位置識別子、制御パケット識別情報が、書き込まれている。
【００２１】
送信元の位置識別子は、この制御パケットを送信した移動ノードのネットワーク上での位置を表している。
送信先の位置識別子は、この制御パケット又は再生成パケットの着信先のネットワーク上での位置を表している。この着信先は、制御パケットの場合はホームルータの位置を表している（ａ）。再生成パケットの場合は、配信表にリストアップされているルータのネットワーク上での位置を表している（ｂ）。
【００２２】
ターゲットノードの固体識別子は、移動により位置識別子が変更された移動ノードを特定している。
ターゲットノードの位置識別子は、移動により位置識別子が変更された移動ノードのネットワーク上での位置を表している。
このターゲットノードの固体識別子とターゲットノードの位置識別子に基づいてアドレス変換表２のエントリが追加又は更新される。
【００２３】
制御パケット識別情報には、制御パケットの場合は、制御パケット生成時の時刻（タイムスタンプ）が記載される（ａ）。同様に再生成パケットの場合は、再生成パケット生成回数と、その再生成パケットを生成したルータの位置識別子が記載される（ｂ）。後に詳細に説明するが、予め、ネットワークの規模等から設定されている再生成が認められる回数、即ち閾値よりも小さい間は、再生成パケットが再生成される。又、この位置識別子を記載することによって、隣り合うルータ同士での再生成パケットのやり取りや、制御パケットの経路内へ再生成パケットが混入すること等を避けることができる。
【００２４】
再度図１に戻って本発明によるデータ伝送装置のＯＳＩ参照モデル４についてカーネル空間（中核部分）に限定して説明を加える。
以上説明した経路表１とアドレス変換表２と制御パケット配信表３は、ＯＳＩ参照モデル４のＩＰ４４（ネットワーク層）に配置される。
【００２５】
システムコールインタフェース４１は、ファイル入出力関数等、ユーザ空間のプログラムに、アプリケーションプログラムインタフェース（ＡＰＩ）を提供する部分である。
ソケット４２は、通信路を設定する関数等、ネットワーク用アプリケーションプログラムインタフェース（ＡＰＩ）を提供する部分である。
【００２６】
ＴＣＰ・ＵＤＰ４３は、ＴＣＰ（トランスミッションコントロールプロトコル）、ＵＤＰ（ユーザデータグラムプロトコル）等、トランスポート層のプロトコルが実装される部分である。
ＩＰ４４は、ＩＰ等、ネットワーク層のプロトコルが実装されている部分である。本発明によるデータ伝送装置もこの階層に実装されている。
共通インタフェース４５は、デバイス毎の差異を吸収し、複数種類のネットワークインタフェースを同じに扱えるようにする部分である。
【００２７】
ネットワークインタフェース４６は、イーサネット等、データリンク層のプロトコルが実装される部分である。
ハードウェアデバイスドライバ４７は、ハードウェアデバイスが実装される部分である。
【００２８】
制御部５は、パケットの転送を制御する部分である。以下に説明する制御動作は、予め指定されたプログラムに従って、ルータ内部に備えられているマイクロプロセッサによって制御される。或いは、独自に個々の制御動作毎にハードウェアで構成されてもよい。
【００２９】
〈具体例の動作〉
本発明によるデータ伝送装置の動作について、ネットワーク中での移動ノードの動作に含めて説明する。
図５は、移動ノードの動作説明図である。
図５において、ＭＨは移動ノードを、ＨＲはホームルータを、Ｒ１〜Ｒ３０はルータをそれぞれ表している。
図６は、パケットの処理動作説明図である。
図５、図６を用いて、移動ノードＭＨが位置Ａから位置Ｂへ移動した時の制御パケット及び再生成パケットの処理動作について説明する。尚、前提条件として閾値を３と設定する。
【００３０】
図５において、移動ノードＭＨが位置Ａから位置Ｂへ移動した時、まず最初に移動ノードＭＨは、ホームルータＭＨに向けて、制御パケット（図４（ａ））を送出する。このとき、図４（ａ）の送信元の位置識別子には、位置Ｂが、送信先の位置識別子にはホームルータＨＲの位置が記載される。同時にターゲットノード固体識別子には、移動ノードＨＲが、ターゲットノード位置識別子には、位置Ｂが、記載される。又、制御パケット識別情報には、移動ノードＭＨが制御パケットを送出した時刻が記載される。
以下図６に移ってパケットの処理動作について説明する。
【００３１】
ステップＳ１
ルータＲ１（図５）は、上記制御パケットを移動ノードＭＨ（図５）から受け入れる。
ステップＳ２
ルータＲ１（図５）の制御部５（図１）は、送信先の位置識別子を参照して自己の位置識別子と一致していないことを認識する。即ち、このパケットはホームルータＨＲ（図５）へ向けての制御パケットであることを認識してステップＳ３へ進む。
【００３２】
ステップＳ３
ルータＲ１（図５）の制御部５（図１）は、自己が管理する経路表１（図１）に基づいてホームルータＨＲ（図５）への経路を判断してこの制御パケットをルータＲ２（図５）へ転送してステップＳ４へ進む。
【００３３】
ステップＳ４
ルータＲ１（図５）の制御部５（図１）は、自己が管理する制御パケット配信表（図１及び図３）を参照して予め定められている全ての配信先へ再生成パケット（図４（ｂ））を送出する。この再生成パケット（図４（ｂ））には、送信先の位置識別子として隣接のルータ（図５上では、ルータＲ６又はルータＲ７）がそれぞれ個別にエントリとして記載される。更に、再生成回数（ここでは最初のコピーなので１）とコピールータの位置識別子（ここではＲ１の位置識別子）が記載される。それ以外は制御パケットと同一内容である。このステップＳ４の動作については後に他の図を用いて再度詳細に説明する。
【００３４】
ステップＳ５
ルータＲ１（図５）の制御部５（図１）は、制御パケットの記載に基づいて自己が管理するアドレス変換表２（図１）にターゲットノード固体識別子及び、ターゲットノード位置識別子を追加又は更新した後パケットの処理動作を終了する。
【００３５】
この時点で制御パケット（図４（ａ））は、ルータＲ２（図５）へ、再生成パケット（図４（ｂ））はルータＲ６（図５）及びルータＲ７（図５）へ進んでいる。
次に、再度図６を用いてルータＲ６（図５）へ進んだ再生成パケット（図４（ｂ））の動作について説明する。ルータＲ６（図５）へ進んだ再生成パケット（図４（ｂ））の動作とルータＲ７（図５）へ進んだ再生成パケット（図４（ｂ））の動作は全く同様なのでここではルータＲ６（図５）へ進んだ再生成パケット（図４（ｂ））の動作のみについて説明する。
【００３６】
ステップＳ１
ルータＲ６（図５）は、上記再生成パケットをルータＲ１（図５）から受け入れる。
ステップＳ２
ルータＲ６（図５）の制御部５（図１）は、送信先の位置識別子を参照して自己の位置識別子と一致していることを認識する。即ち、このパケットは自己へ向けての再生成パケットであることを認識してステップＳ６へ進む。
【００３７】
ステップＳ６
ルータＲ６（図５）の制御部５（図１）は、制御パケット識別情報に記載されている再生成回数を読み取る。この回数が再生成回数の閾値（上記前提より３回）以上になったとき、ステップＳ５へ飛ぶ。ここではまだルータＲ１での再生成回数１回のみなのでＳ７へ進む。
ステップＳ７
再生成パケットの制御パケット識別情報に再生成回数２を記載してステップＳ８へ進む。
【００３８】
ステップＳ８
ルータＲ６（図５）の制御部５（図１）は、自己が管理する制御パケット配信表（図１及び図３）を参照して予め定められている全ての配信先へ再生成パケット（図４（ａ））を送出してステップＳ５へ進む。この再生成パケット（図４（ｂ））には、送信先の位置識別子として隣接のルータ（図５上では、ルータＲ８及びルータＲ９）が記載される以外は制御パケットと同一内容である。このステップＳ８の動作については後に他の図を用いて再度詳細に説明する。
【００３９】
ステップＳ５
ルータＲ６（図５）の制御部５（図１）は、再生成パケットの記載に基づいて自己が管理するアドレス変換表２（図１）に移動ノードＭＨ（図５）のターゲットノード固体識別子及び、ターゲットノード位置識別子を追加又は更新した後パケットの処理動作を終了する。
【００４０】
以後ルータＲ８（図５）及びルータＲ９（図５）はルータＲ６から再生成パケットを受け入れて、再生成回数２回であることを認識する。上記と同様の動作によって再生成パケット（図４（ｂ））をルータＲ１０（図５）及びルータＲ１１（図５）とルータＲ１２（図５）及びルータＲ１３（図５）へそれぞれ転送する。
【００４１】
続いて、ルータＲ１０（図５）、ルータＲ１１（図５）、ルータＲ１２（図５）、ルータＲ１３（図５）が、ルータＲ８（図５）及びルータＲ９（図５）から再生成パケットを受け入れたとき、再生成回数３回であることを認識する。このとき処理動作は上記Ｓ６から直接ステップＳ５へ飛ぶ。
【００４２】
ルータＲ１０（図５）、ルータＲ１１（図５）、ルータＲ１２（図５）、ルータＲ１３（図５）は、再生成パケットの記載に基づいて自己が管理するアドレス変換表２（図１）に移動ノードＭＨ（図５）のターゲットノード固体識別子及び、ターゲットノード位置識別子を追加又は更新した後パケットの処理動作を終了する。この処理動作が終了した範囲が、ルータＲ１を中心にした閾値３回領域５３として図５上に２点鎖線で表されている。
【００４３】
以上の動作中に、制御パケット（図４（ａ））は、ルータＲ３（図５）を通過してホームルータＨＲ（図５）へ向かって進行中である。制御パケット（図４（ａ））は、ホームルータＨＲ（図５）に向けて転送され続け、ホームルータＨＲ（図５）に着信したときにホームルータＨＲ（図５）のアドレス変換表２（図１）に移動ノードＭＨのエントリ（項目）を更新、又は追加してその役目を終える。
【００４４】
次に図を用いて上記ステップＳ４とステップＳ８の動作について説明する。
図７は、制御パケットの配信処理動作説明図である。
上記ステップＳ４とステップＳ８における配信処理動作は、ステップＳ９〜ステップＳ１２を通って処理される。
ステップＳ９
各ルータの制御部５（図１）は、自己が管理する制御パケット配信表（図１及び図３）を参照して順番に１エントリ毎に読み出してステップＳ１０へ進む。
【００４５】
ステップＳ１０
全てのエントリを読み終わるまではステップＳ１１へ進む。
ステップＳ１１
制御部５（図１）は、自己が管理する制御パケット配信表（図１及び図３）を参照して、送信先を書き替えた再生成パケットを作成してステップＳ１２へ進む。
【００４６】
ステップＳ１２
制御部５（図１）は、再生成パケットを、書き替えた送信先へ向けて送信した後再度ステップＳ９へ戻って同様の動作を繰り返す。自己が管理する制御パケット配信表（図１及び図３）に記載されている全てのエントリ（項目）についての再生成パケットを送信する。その後動作を終了してステップＳ１０から図６のステップＳ４又はＳ８へ戻る。
【００４７】
以上ルータＲ１から送信された再生成パケットの動作を閾値３回領域５３（図５）に限定して説明した。制御パケットの経路上にある全てのルータを中心にしてこの閾値３回領域５３（図５）が形成される。この領域内の全てのルータは、移動ノードの移動先を認識することになる。
尚、ここでは説明の都合上制御パケット配信表（図１及び図３）のエントリ数を２に、再生成回数の閾値を３回に限定して説明した。これは本発明の一例であって、エントリ数及び閾値数ともネットワークの規模に合わせて自由に選択され得る。
【００４８】
また、ネットワークの特質によっては、再生成回数の閾値を１回としてエントリ数を増加することも可能である。
更に、ここでは説明の都合上移動ノードの移動に限定して説明したが、本発明は、これに限定されるものではない。
即ち、複数個のノードによって構成されるサブネットワークに対しても全く同様に適合できる。
【００４９】
【発明の効果】
本発明によるデータ伝送装置は、制御パケット配信表３（図１）を備える。各ルータは、制御パケットを受け入れたとき、この制御パケット配信表３（図１）に基づいて隣接する他のルータに向けて再生成パケットを転送することによって以下の効果を得る。
【００５０】
１．移動ノードが移動したときに、移動ノードの移動先を認識しているルータの数量が短時間の内に爆発的に増加する。
２．再生成回数の閾値を設定することにより、移動ノードの移動先を認識しているルータの数量と、処理時間をネットワークの規模に合わせて自由に選択できる。
３．その結果パケットの損失や通信遅延を招くことが少なくなる。
【図面の簡単な説明】
【図１】本発明によるデータ伝送装置の構成図である。
【図２】アドレス変換表の説明図である。
【図３】制御パケット配信表説明図である。
【図４】制御パケット及び再生成パケットの説明図である。
【図５】移動ノードの動作説明図である。
【図６】パケットの処理動作説明図である。
【図７】制御パケットの配信処理動作説明図である。
【符号の説明】
１  経路表
２  アドレス変換表
３  配信表
４  ＯＳＩ参照モデル
５  制御部
【図１】
0003926495.tif 000002
【図２】
0003926495.tif 000003
【図３】
0003926495.tif 000004
【図４】
0003926495.tif 000005
【図５】
0003926495.tif 000006
【図６】
0003926495.tif 000007
【図７】
0003926495.tif 000008